(57)【要約】      （修正有）【課題】錘部と、錘部に固着された略Ｕ字状の線材部とを有する根掛かり外しにおいて、釣糸への装着が容易な根掛かり外しを提供する。【解決手段】錘部１０には、線材部２０の屈曲部２６を着脱自在に係止するための穴部１４が設けられ、穴部１４は、錘部の周面に設けられた溝部と、溝部の奥部から軸線方向に形成され屈曲部２６を係止するための穴部が設けられている。線材部２０の他方の屈曲部は、錘部１０の穴部１２に固定されている。【選択図】図１
0003159173.tif 000002
【実用新案登録請求の範囲】
【請求項１】
障害物に根掛かりの状態の釣り針を該障害物から外すための釣り用具であって、
錘部と、線材部とを有し、
線材部が、略Ｕ字状の本体部で略中央部分に折り返した状態の折返し部を有する本体部と、本体部の一方の端部が屈曲して形成された第１屈曲部と、本体部の他方の端部が屈曲して形成された第２屈曲部とを有し、
第１屈曲部が錘部に対して固着され、第２屈曲部が錘部に対して着脱自在に係止することを特徴とする釣り用具。
【請求項２】
錘部が、略柱状を呈し、錘部の軸線方向の一方の端部に線材部の第１屈曲部を固定するための第１穴部と、第２穴部で、該軸線方向の他方の側に、周面における線材部の折返し部の側の面に該軸線方向に沿って形成された第２穴部用溝部と、該溝部の奥部から該軸線方向に錘部の他方の端部に向けて形成され線材部の第２屈曲部を係止させるための第２穴部用係止穴部とを有する第２穴部と、錘部の周面を貫通する第３穴部と、を有し、線材部の第１屈曲部が内側に屈曲して形成され、線材部の第２屈曲部が外側に屈曲して形成され、
線材部における本体部の両側の間隔を縮めて、第１屈曲部と第２屈曲部間の距離を短くし、第２屈曲部を第２穴部用溝部に挿通した後に、本体部の両側の間隔を縮めるのを解除することにより、第２屈曲部がもとの状態に復帰しようとして、第２屈曲部が第２穴部用係止穴部に係止することを特徴とする請求項１に記載の釣り用具。
【請求項３】
上記第２穴部における係止穴部が、錘部の軸線方向の他方の端部から溝部に連通していることを特徴とする請求項２に記載の釣り用具。
【請求項４】
上記第１穴部が、錘部の軸線方向に沿って錘部の一方の端部から形成され、第１屈曲部を嵌合するための第１穴部用係止穴部と、第１穴部用係止穴部の開口側から第１屈曲部から連設した本体部の部分が伸びる側に向けて形成された第１穴部用溝部とを有することを特徴とする請求項２又は３に記載の釣り用具。
【請求項５】
錘部における第３穴部が、第２穴部の溝部の開口部と奥部とを結ぶ方向と略直角の方向に形成されていることを特徴とする請求項２又は３又は４に記載の釣り用具。
【請求項６】
錘部の周面における線材部の折返し部の側の面における第２穴部の第２穴部用溝部と錘部の軸線方向の他方の端部間に第２屈曲部を第２穴部用溝部に案内するためのガイド溝が形成されていることを特徴とする請求項２又は３又は４又は５に記載の釣り用具。
【請求項７】
錘部が、略柱状を呈し、錘部の軸線方向の一方の端部に線材部の第１屈曲部を固定するための第１穴部と、第２穴部で、錘部の軸線方向に沿って錘部の他方の端部から形成され、第２屈曲部を嵌合するための第２穴部用係止穴部と、第２穴部用係止穴部の開口側から第２屈曲部から連設した本体部の部分が伸びる側に向けて形成された第２穴部用溝部とを有する第２穴部と、錘部の周面を貫通する第３穴部と、を有し、線材部の第１屈曲部が内側に屈曲して形成され、線材部の第２屈曲部が内側に屈曲して形成され、
線材部における本体部の両側の間隔を広げて、第１屈曲部と第２屈曲部間の距離を長くし、第２屈曲部の先端を第２穴部用係止穴部の開口部に位置させた後に、本体部の両側の間隔を広げるのを解除することにより、第２屈曲部がもとの状態に復帰しようとして、第２屈曲部が第２穴部用係止穴部に係止することを特徴とする請求項１に記載の釣り用具。
【請求項８】
障害物に根掛かりの状態の釣り針を該障害物から外すための釣り用具であって、
錘部と、線材部とを有し、
錘部が、略柱状を呈し、錘部の軸線方向の一方の端部に線材部の一方の端部を固定するための第１穴部で、錘部の軸線方向に沿って錘部の一方の端部から形成され、第１屈曲部を嵌合するための第１穴部用係止穴部と、第１穴部用係止穴部の開口側から第１屈曲部から連設した本体部の部分が伸びる側に向けて形成された第１穴部用溝部とを有する第１穴部と、第２穴部で、該軸線方向の他方の側に、周面における線材部の折返し部の側の面に該軸線方向に沿って形成された第２穴部用溝部と、該溝部の奥部から該軸線方向に錘部の他方の端部に向けて形成され線材部の他方の端部を係止させるための第２穴部用係止穴部で錘部の軸線方向の他方の端部から溝部に連通した第２穴部用係止穴部とを有する第２穴部と、錘部の周面を貫通する第３穴部で第２穴部の溝部の開口部と奥部とを結ぶ方向と略直角の方向に形成された第３穴部と、を有し、
線材部が、略Ｕ字状の本体部で略中央部分に折り返した状態の折返し部を有する本体部と、本体部の一方の端部が内側に屈曲して形成され第１穴部に固定された第１屈曲部と、本体部の他方の端部が外側に屈曲して形成され第２穴部に着脱自在に係止する第２屈曲部とを有し、
線材部における本体部の両側の間隔を縮めて、第１屈曲部と第２屈曲部間の距離を短くし、第２屈曲部を第２穴部用溝部に挿通した後に、本体部の両側の間隔を縮めるのを解除することにより、第２屈曲部がもとの状態に復帰しようとして、第２屈曲部が第２穴部用係止穴部に係止することを特徴とする釣り用具。
【請求項９】
第３穴部が、錘部の軸線方向における中心位置からずれて形成されていることを特徴とする請求項１又は２又は３又は４又は５又は６又は７又は８に記載の釣り用具。
【考案の詳細な説明】
【技術分野】
【０００１】
本考案は、魚釣り用具（特に、釣り用付属具）に関するものであり、特に、根掛かり外しに関するものである。
【背景技術】
【０００２】
従来より、鮎の友釣り等において、釣り針が植物の根や岩等の障害物に引っ掛かっていわゆる根掛かりとなった場合に、根掛かりとなった釣り針を障害物から外す装置として、図１４に示すような根掛かり外し２０５が存在する。
【０００３】
図１４に示す根掛かり外し２０５は、円柱状の錘（おもり）部２１０と該錘部２１０に取り付けられた線材部２２０とを有している。線材部２２０は略Ｕ字状に湾曲した金属等の弾性部材により形成され、両側の端部が錘部２１０に固着されている。つまり、線材部２２０の一方の端部が錘部２１０の一方の端部に設けられた穴部に固着され、線材部２２０の他方の端部が錘部２１０の他方の端部に設けられた穴部に固着されている。
【０００４】
なお、出願人は、先行技術文献として、特許文献１〜２に示す文献を知得している。
【先行技術文献】
【特許文献】
【０００５】
【特許文献１】実開平５−２６８４号公報
【特許文献２】実用新案登録第３０５２４９３号公報
【考案の概要】
【考案が解決しようとする課題】
【０００６】
しかし、図１４に示す根掛かり外し２０５においては、線材部２２０の両端が錘部２１０に固着されているので、釣糸を根掛かり外し２０５に通した状態にして根掛かり外し２０５を釣糸に装着するには、釣り竿の基端側から挿通しなけれならず操作が面倒である。特許文献１においても、同様の問題がある。
【０００７】
特許文献２の根掛かり外しにおいては、芯材に切れ目が設けられていて、釣糸に直接挿入することが可能であるが、切れ目が常に形成されるので、釣糸から外れるおそれがあるという問題がある。
【０００８】
そこで、本考案が解決しようとする問題点は、錘部と、錘部に固着された略Ｕ字状の線材部とを有する根掛かり外しにおいて、釣糸への装着が容易で、かつ、釣糸から外れるおそれのない根掛かり外しを提供することである。
【課題を解決するための手段】
【０００９】
本考案は上記問題点を解決するために創作されたものであって、第１には、障害物に根掛かりの状態の釣り針を該障害物から外すための釣り用具であって、錘部と、線材部とを有し、線材部が、略Ｕ字状の本体部で略中央部分に折り返した状態の折返し部を有する本体部と、本体部の一方の端部が屈曲して形成された第１屈曲部と、本体部の他方の端部が屈曲して形成された第２屈曲部とを有し、第１屈曲部が錘部に対して固着され、第２屈曲部が錘部に対して着脱自在に係止することを特徴とする。
【００１０】
この第１の構成の釣り用具においては、線材部の第２屈曲部が錘部に対して着脱自在に係止するので、釣糸に装着する場合に、釣り竿の基端から挿通することなく、釣り竿の途中位置から根掛かり外しとしての釣り用具を装着することができるので、釣糸への装着を容易とすることができる。また、線材部の第２屈曲部が錘部に対して着脱自在に係止するので、釣り用具が釣糸から外れるおそれがない。
【００１１】
また、第２には、上記第１の構成において、錘部が、略柱状を呈し、錘部の軸線方向の一方の端部に線材部の第１屈曲部を固定するための第１穴部と、第２穴部で、該軸線方向の他方の側に、周面における線材部の折返し部の側の面に該軸線方向に沿って形成された第２穴部用溝部と、該溝部の奥部から該軸線方向に錘部の他方の端部に向けて形成され線材部の第２屈曲部を係止させるための第２穴部用係止穴部とを有する第２穴部と、錘部の周面を貫通する第３穴部と、を有し、線材部の第１屈曲部が内側に屈曲して形成され、線材部の第２屈曲部が外側に屈曲して形成され、線材部における本体部の両側の間隔を縮めて、第１屈曲部と第２屈曲部間の距離を短くし、第２屈曲部を第２穴部用溝部に挿通した後に、本体部の両側の間隔を縮めるのを解除することにより、第２屈曲部がもとの状態に復帰しようとして、第２屈曲部が第２穴部用係止穴部に係止することを特徴とする。
【００１２】
よって、線材部の第２屈曲部を錘部の第２穴部に脱着する際に、線材部の本体部の両側の間隔を縮めた後に該間隔を縮める動作を解除すればよく、片手で操作をすることが可能であるので、線材部における着脱自在となる第２屈曲部の錘部への脱着を容易とすることができる。また、第２屈曲部が第２穴部用係止穴部に係止するので、釣り用具が釣糸から外れるおそれがない。
【００１３】
また、第３には、上記第２の構成において、上記第２穴部における係止穴部が、錘部の軸線方向の他方の端部から溝部に連通していることを特徴とする。
【００１４】
また、第４には、上記第２又は第３の構成において、上記第１穴部が、錘部の軸線方向に沿って錘部の一方の端部から形成され、第１屈曲部を嵌合するための第１穴部用係止穴部と、第１穴部用係止穴部の開口側から第１屈曲部から連設した本体部の部分が伸びる側に向けて形成された第１穴部用溝部とを有することを特徴とする。
【００１５】
また、第５には、前記第２から第４までのいずれかの構成において、錘部における第３穴部が、第２穴部の溝部の開口部と奥部とを結ぶ方向と略直角の方向に形成されていることを特徴とする。
【００１６】
また、第６には、前記第２から第５までのいずれかの構成において、錘部の周面における線材部の折返し部の側の面における第２穴部の第２穴部用溝部と錘部の軸線方向の他方の端部間に第２屈曲部を第２穴部用溝部に案内するためのガイド溝が形成されていることを特徴とする。よって、第２屈曲部を第２穴部の第２穴部用溝部に挿入するのが容易となる。
【００１７】
また、第７には、上記第１の構成において、錘部が、略柱状を呈し、錘部の軸線方向の一方の端部に線材部の第１屈曲部を固定するための第１穴部と、第２穴部で、錘部の軸線方向に沿って錘部の他方の端部から形成され、第２屈曲部を嵌合するための第２穴部用係止穴部と、第２穴部用係止穴部の開口側から第２屈曲部から連設した本体部の部分が伸びる側に向けて形成された第２穴部用溝部とを有する第２穴部と、錘部の周面を貫通する第３穴部と、を有し、線材部の第１屈曲部が内側に屈曲して形成され、線材部の第２屈曲部が内側に屈曲して形成され、
線材部における本体部の両側の間隔を広げて、第１屈曲部と第２屈曲部間の距離を長くし、第２屈曲部の先端を第２穴部用係止穴部の開口部に位置させた後に、本体部の両側の間隔を広げるのを解除することにより、第２屈曲部がもとの状態に復帰しようとして、第２屈曲部が第２穴部用係止穴部に係止することを特徴とする。
【００１８】
よって、釣糸が線材部の第２屈曲部の端部側と錘部の境界位置（すなわち、第２穴部用溝部の上側位置）に位置しても、第２屈曲部の係止が外れて根掛かり外しとしての釣り具が釣糸から脱落してしまうことがない。
【００１９】
また、第８には、障害物に根掛かりの状態の釣り針を該障害物から外すための釣り用具であって、錘部と、線材部とを有し、錘部が、略柱状を呈し、錘部の軸線方向の一方の端部に線材部の一方の端部を固定するための第１穴部で、錘部の軸線方向に沿って錘部の一方の端部から形成され、第１屈曲部を嵌合するための第１穴部用係止穴部と、第１穴部用係止穴部の開口側から第１屈曲部から連設した本体部の部分が伸びる側に向けて形成された第１穴部用溝部とを有する第１穴部と、第２穴部で、該軸線方向の他方の側に、周面における線材部の折返し部の側の面に該軸線方向に沿って形成された第２穴部用溝部と、該溝部の奥部から該軸線方向に錘部の他方の端部に向けて形成され線材部の他方の端部を係止させるための第２穴部用係止穴部で錘部の軸線方向の他方の端部から溝部に連通した第２穴部用係止穴部とを有する第２穴部と、錘部の周面を貫通する第３穴部で第２穴部の溝部の開口部と奥部とを結ぶ方向と略直角の方向に形成された第３穴部と、を有し、線材部が、略Ｕ字状の本体部で略中央部分に折り返した状態の折返し部を有する本体部と、本体部の一方の端部が内側に屈曲して形成され第１穴部に固定された第１屈曲部と、本体部の他方の端部が外側に屈曲して形成され第２穴部に着脱自在に係止する第２屈曲部とを有し、線材部における本体部の両側の間隔を縮めて、第１屈曲部と第２屈曲部間の距離を短くし、第２屈曲部を第２穴部用溝部に挿通した後に、本体部の両側の間隔を縮めるのを解除することにより、第２屈曲部がもとの状態に復帰しようとして、第２屈曲部が第２穴部用係止穴部に係止することを特徴とする。
【００２０】
この第８の構成の釣り用具においては、線材部の第２屈曲部が錘部に対して着脱自在に係止するので、釣糸に装着する場合に、釣り竿の基端から挿通することなく、釣り竿の途中位置から根掛かり外しとしての釣り用具を装着することができるので、釣糸への装着を容易とすることができる。また、線材部の第２屈曲部を錘部の第２穴部に脱着する際に、線材部の本体部の両側の間隔を縮めた後に該間隔を縮める動作を解除すればよく、片手で操作をすることが可能であるので、線材部における着脱自在となる第２屈曲部の錘部への脱着を容易とすることができる。
【００２１】
また、第９には、前記第１から第８までのいずれかの構成において、第３穴部が、錘部の軸線方向における中心位置からずれて形成されていることを特徴とする。よって、第３穴部に引き糸を固定して使用した場合に、根掛かり外しが不用意に回転するのを防止することができる。
【考案の効果】
【００２２】
本考案に基づく釣り用具によれば、線材部の第２屈曲部を錘部の第２穴部に脱着する際に、線材部の本体部の両側の間隔を縮めた後に該間隔を縮める動作を解除すればよく、片手で操作をすることが可能であるので、線材部における着脱自在となる第２屈曲部の錘部への脱着を容易とすることができる。
【図面の簡単な説明】
【００２３】
【図１】根掛かり外しの斜視図である（実施例１）。
【図２】根掛かり外しの正面斜め上方からの要部説明図である（実施例１）。
【図３】根掛かり外しの要部斜視図である（実施例１）。
【図４】根掛かり外しの要部斜視図である（実施例１）。
【図５】根掛かり外しの要部断面図である（実施例１）。
【図６】屈曲部を係止した状態の根掛かり外しの斜視図である（実施例１）。
【図７】屈曲部を係止した状態の要部断面図である（実施例１）。
【図８】根掛かり外しの使用状態を示す説明図である。
【図９】根掛かり外しの使用状態を示す説明図である。
【図１０】根掛かり外しの斜視図である（実施例２）。
【図１１】根掛かり外しの要部断面図である（実施例２）。
【図１２】屈曲部を係止した状態の根掛かり外しの斜視図である（実施例２）。
【図１３】線材部を広げた状態の要部断面図である（実施例２）。
【図１４】従来の根掛かり外しを示す斜視図である。
【考案を実施するための形態】
【００２４】
本考案においては、錘部と、線材部とを有し、線材部の一方の端部が錘部に固定され、他方の端部が錘部に着脱自在となっている根掛かり外しにおいて、線材部における着脱自在となる端部の錘部への係止を容易とするものを提供するという目的を以下のようにして実現した。
【実施例１】
【００２５】
本考案に基づく釣り用具としての根掛かり外し５は、図１から図７に示すように構成され、略柱状の錘部１０と、錘部１０に対して一方の端部が固着されるとともに他方の端部が着脱自在（係脱自在としてもよい）となっている線材部２０とを有している。
【００２６】
なお、以下の説明においては、線材部２０の屈曲部２６を錘部１０の穴部１４に係止した状態において、略Ｕ字状の線材部２０により囲まれた面に直角の方向が正面側と背面側となり、線材部２０の屈曲部２６が屈曲部２４よりも右側に視認できる側を正面側とする。図５、図７は、正面からの断面図を示している。
【００２７】
ここで、錘部１０は、略円柱状を呈し、一方の端部に設けられた穴部（第１穴部）１２と、他方の端部側の側面から該他方の端部側に形成された穴部（第２穴部）１４と、錘部１０の側面を貫通するように設けられた穴部（第３穴部）１６ａ〜１６ｃを有している。この錘部１０は、鉄等の金属により構成されている。
【００２８】
穴部１２は、線材部２０の一方の端部である屈曲部２４を固着するための穴部であり、錘部１０の軸線方向（Ｘ１−Ｘ２方向）（長手方向、左右方向としてもよい）の一方の端部（Ｘ１側の端部）に設けられ、線材部２０における略Ｌ字状に屈曲した屈曲部２４が嵌合するように図５に示すように正面視で断面略Ｌ字状に形成され、錘部１０の軸線（中心線）に沿って形成された穴部（円柱状の穴部）（第１穴部用係止穴部）と該穴部の開口側の端部から上方に形成された溝部（第１穴部用溝部）とにより形成されている。穴部１２における円柱状の穴部の径（直径）は、屈曲部２４が嵌合できるように、屈曲部２４の径（直径）よりも若干大きく形成され、穴部１２における溝部の幅は、屈曲部２４の太さよりも若干大きく形成されている。
【００２９】
また、穴部１４は、線材部２０の他方の端部である屈曲部２６を着脱自在に係止するための穴部であり、錘部１０の錘部１０の軸線方向の他方の端部側の側面（厳密には、正面視における上面）から下方に形成され軸線方向に伸びた溝部（第２穴部用溝部）１４ａと、錘部１０の穴部１２が形成された側とは反対側の端部（Ｘ２側の端部）から軸線（中心線）に沿って形成された穴部（円柱状の穴部）（第２穴部用係止穴部）１４ｂとを有し、穴部１４ｂのＸ１側の端部が溝部１４ａと連通している。つまり、溝部１４ａは、錘部１０の周面における線材部２０の折返し部２２ａの側の面に該軸線方向に沿って形成されている。また、穴部１４ｂは、溝部１４ａの奥部から軸線方向に錘部１０のＸ２側の端部に向けて形成されている。この穴部１４ｂは、線材部２０の屈曲部２６を係止するための穴部である。
【００３０】
線材部２０の他方の屈曲部２６が溝部１４ａに侵入できるように、溝部１４ａの軸線方向の長さＳ１は、屈曲部２６の長さ（軸線方向の長さ）Ｓ２よりも長く形成され、溝部１４ａの幅は、屈曲部２６の太さよりも大きく形成されている。また、穴部１４ｂの径（直径）は、屈曲部２６が侵入できるように、屈曲部２６の径（直径）よりも若干大きく形成されている。
【００３１】
また、穴部１６ａと穴部１６ｂと穴部１６ｃは、錘部１０における穴部１２と穴部１４の間に間隔を介して設けられ、錘部１０の正面側から背面側に向けて貫通して形成されている。穴部１６ａ、１６ｂ、１６ｃの上下方向の形成位置は、錘部１０の軸線（中心線）を横切る位置となる。つまり、穴部１６ａ、１６ｂ、１６ｃの錘部１０の側面（周面）における形成位置は、穴部１４の溝部１４ａの錘部１０の側面（周面）における形成位置とは直角の位置となる。つまり、穴部１６ａ、１６ｂ、１６ｃは、穴部１４の溝部１４ａの開口部と奥部とを結ぶ方向と略直角の方向に形成されている。
【００３２】
ここで、穴部１６ｂは、錘部１０の軸線方向の略中央位置に設けられ、穴部１６ａは、穴部１６ｂよりも左側面側で穴部１２の近傍に設けられ、穴部１６ｃは、穴部１６ｂよりも右側面側で穴部１４の近傍に設けられている。
【００３３】
なお、上記の説明では、錘部１０は、略円柱状であるとしたが、円柱状でなくても柱状であればよく、結果として、略柱状であればよい。
【００３４】
また、線材部２０は、金属等の弾性を有する線条部材により形成され、全体に略Ｕ字状を呈し、本体部２２と、屈曲部（第１屈曲部）２４と、屈曲部（第２屈曲部）２６とを有している。なお、線材部２０の横断面形状は略円形を呈する。
【００３５】
本体部２２は、略Ｕ字状の線条を呈し、線材部２０における屈曲部２４、２６以外の部分を構成する。この本体部２２の略中央部分に折り返した状態の折返し部２２ａが設けられている。
【００３６】
屈曲部２４は、本体部２２の一方の端部（左側面側の端部）から連設され、本体部２２の一方の端部から右側面側に略直角に屈曲して形成されている。この屈曲部２４の長さは、穴部１２における円柱状の穴部の長さと略同一に形成されている。この屈曲部２４は、穴部１２に固着されている。つまり、屈曲部２４と穴部１２間を接着剤と固着するか、又は、屈曲部２４を穴部１２（特に、円柱状の穴部）に嵌合させることにより、穴部１２に固着されている。
【００３７】
また、屈曲部２６は、本体部２２の他方の端部（右側面側の端部）から連設され、本体部２２の他方の端部から右側面側に略直角に屈曲して形成されている。この屈曲部２６の長さＳ２は、穴部１４における溝部１４ａの左右方向の長さＳ１よりも短く形成されており、穴部１４ｂの左右方向の長さと略同一に形成されている。この屈曲部２６は、穴部１４には固着されておらず、穴部１４に対して着脱自在となっている。
【００３８】
根掛かり外し５において、屈曲部２６の穴部１４への係止を解除した状態では、図１〜図３、図５に示す状態となり、屈曲部２４と屈曲部２６間の距離は、錘部１０の軸線方向の長さよりも長くなる。屈曲部２６の穴部１４への係止を解除した状態から屈曲部２６を穴部１４に係止した状態にするには、線材部２０の本体部２２の両側の間隔を縮めて、屈曲部２４と屈曲部２６間の距離を短くし、屈曲部２６を穴部１４に挿通し、溝部１４ａの下方にまで挿通する。屈曲部２６を溝部１４ａの下方にまで挿通したら、本体部２２の両側の間隔を縮めるのを解除することにより、屈曲部２６がもとの状態に復帰しようとして、屈曲部２６が穴部１４ｂに係止した状態となる。屈曲部２６が穴部１４ｂに係止した状態では、図６、図７に示す状態となる。なお、屈曲部２６を穴部１４に係止した状態とは、屈曲部２６を穴部１４ｂに係止した状態と同義である。屈曲部２６が穴部１４ｂに係止した状態では、根掛かり外し５は、全体に略ループ状を呈しているといえる。
【００３９】
また、屈曲部２６が穴部１４に係止した状態から係止を解除した状態にするには、上記と同様に、線材部２０の本体部２２の両側の間隔を縮めて、屈曲部２４と屈曲部２６間の距離を短くした後に、屈曲部２６を穴部１４から引き出して、本体部２２の両側の間隔を縮めるのを解除することにより、屈曲部２６がもとの状態に復帰して、係止が解除した状態となる。
【００４０】
上記構成の根掛かり外し５の使用状態について説明する。図８に示すように、予め引き糸３２を錘部１０の穴部１６ａ〜１６ｃのいずれかに縛り付けて固定する。図８では、引き糸３２は、穴部１６ａに固定されている。なお、この引き糸３２は、例えば、図８に示すように、引き糸巻き３０に巻回されている。
【００４１】
そして、魚釣り（例えば、鮎の友釣り）に際して、図９に示すように、釣り針４０が障害物としての植物の根に引っ掛かって根掛かりの状態になった場合には、根掛かり外し５の屈曲部２６の穴部１４への係止を解除した状態で、線材部２０を釣り竿に係止させ、その後、屈曲部２６を穴部１４に係止させて、釣り竿を略ループ状の根掛かり外し５に挿通した状態とする。
【００４２】
その後、根掛かり外し５を釣り竿の先端に移動させた後に、釣糸５０に導き、おとり鮎６０に略ループ状の根掛かり外し５をくぐらせて、おとり鮎と根掛かりした釣り針４０間の釣糸５２まで至らせて図９に示す状態とする。
【００４３】
図９に示す状態において、引き糸３２を引くことにより釣り針が根掛かりの状態から脱することができる。
【００４４】
なお、穴部１６ａ〜１６ｃにおいて、穴部１６ｂ以外の穴部は錘部１０の軸線方向の中心からずれて形成されているので、使用に際して、根掛かり外し５が不用意に回転してしまうのを防止することができる。つまり、穴部１６ｂに引き糸３２を固定した場合には、引き糸３２は錘部１０の軸線方向の中心に位置するので、水の流れが激しい場合等には、引き糸３２を中心に回転してしまって根掛かり外し５の操作が困難になるおそれがあるが、そのような場合には、穴部１６ａ、１６ｃに引き糸３２を固定することにより、不用意に回転するのを防止することができる。
【００４５】
上記構成の根掛かり外し５においては、線材部２０の一方の屈曲部２６が錘部１０に対して着脱自在で開閉するので、釣糸に装着する場合に、釣り竿の基端から挿通することなく、釣り竿の途中位置から根掛かり外し５を装着することができるので、釣糸への装着を容易とすることができる。
【００４６】
また、線材部２０の屈曲部２６を錘部１０に脱着する際に、線材部２０の本体部２２の両側の間隔を縮めた後に該間隔を縮める動作を解除すればよく、片手で操作をすることが可能であるので、線材部２０における着脱自在となる端部（つまり、屈曲部２６）の錘部への脱着を容易とすることができる。すなわち、仮に、実施例１の構成において、着脱する側の屈曲部である屈曲部２６が内側に屈曲していて、穴部１４の代わりに穴部１４ｂのみの構成の場合には、屈曲部が錘部の穴部から外れた状態から穴部に係止した状態にするには、線材部の両端の間隔を広げて開いた状態とした後に、該屈曲部を穴部に係止することになり、一方、該屈曲部が錘部の穴部に係止した状態から外す場合には、線材部の両端の間隔を広げて開いた状態にする必要があるが、線材部を開いた状態にするには、片手で操作するのは困難で、両手を必要としてしまい、線材部の端部を脱着する操作が容易ではないという問題があるが、上記実施例１の場合には、そのような問題がない。
【００４７】
また、屈曲部２６が穴部１４に係止するので、釣糸が挿通した状態の根掛かり外し５が釣糸から外れるおそれがない。
【００４８】
なお、上記の構成において、錘部１０の上面の溝部１４ａと錘部１０の右側面側の端部間に錘部１０の軸線方向に屈曲部２６を案内するための直線状の溝部を設けるようにしてもよい。つまり、図２のＰに示す箇所に、溝部を設けておくことにより、屈曲部２６を穴部１４に係止させる際に、屈曲部２６を該溝部内に配置した状態で溝部１４ａの側にスライドさせればよいので、屈曲部２６を溝部１４ａ内に案内するのが容易となる。なお、該溝部は、屈曲部２６の下側半分が入る程度の断面形状を有すればよく、例えば、屈曲部２６の径と同一又は若干大きい径の半円形状の断面形状を有する溝部であればよく、また、この溝部は、下方には当然穴部１４ｂには至らない溝部である。
【実施例２】
【００４９】
次に、実施例２の根掛かり外しについて説明する。実施例２の根掛かり外し１０５は、実施例１の根掛かり外し５と略同様の構成であるが、錘部の穴部の構成と、線材部の一方の屈曲部の構成が異なる。
【００５０】
すなわち、根掛かり外し１０５は、図１０から図１３に示すように構成され、略柱状の錘部１１０と、錘部１１０に対して一方の端部が固着されるとともに他方の端部が着脱自在となっている線材部１２０とを有している。
【００５１】
ここで、錘部１１０は、略円柱状を呈し、一方の端部に設けられた穴部（第１穴部）１１２と、他方の端部に形成された穴部（第２穴部）１１４と、錘部１１０の側面を貫通するように設けられた穴部（第３穴部）１１６ａ〜１１６ｃを有している。この錘部１１０は、鉄等の金属により構成されている。
【００５２】
ここで、穴部１１２は、線材部１２０の一方の端部である屈曲部１２４を固着するための穴部であり、錘部１１０の軸線方向（Ｘ１−Ｘ２方向）（長手方向、左右方向としてもよい）の一方の端部（Ｘ１側の端部）に設けられ、線材部１２０における略Ｌ字状に屈曲した屈曲部１２４が嵌合するように錘部１１０の軸線（中心線）に沿って形成された円柱状の穴部となっている。すなわち、実施例１における穴部１４ｂと同様の構成となっている。
【００５３】
なお、この穴部１１２を実施例１の穴部１２のように正面視で断面略Ｌ字状に形成され、錘部１０の軸線（中心線）に沿って形成された穴部（円柱状の穴部）と該穴部の開口側の端部から上方に形成された溝部とにより形成するものとしてもよい。
【００５４】
また、穴部１１４は、線材部１２０の他方の端部である屈曲部１２６を着脱自在に係止するための穴部であり、錘部１１０の軸線方向の他方の端部（Ｘ２側の端部）に設けられ、線材部１２０における略Ｌ字状に屈曲した屈曲部１２６が嵌合するように図１３に示すように正面視で断面略逆Ｌ字状に形成され、錘部１１０の軸線（中心線）に沿って形成された穴部１１４ａ（円柱状の穴部）（第２穴部用係止穴部）と該穴部１１４ａの開口側の端部から上方に形成された溝部１１４ｂ（第２穴部用溝部）とにより形成されている。この穴部１１４は、実施例１における穴部１２と同様の構成をしているものといえる。穴部１１４における穴部１１４ａの径（直径）は、屈曲部１２６が着脱可能に嵌合できるように、屈曲部１２６の径（直径）よりも若干大きく形成され、穴部１１４における溝部１１４ｂの幅は、屈曲部１２６の太さよりも若干大きく形成されている。
【００５５】
また、穴部１１６ａと穴部１１６ｂと穴部１１６ｃは、錘部１１０における穴部１１２と穴部１１４の間に間隔を介して設けられ、錘部１１０の正面側から背面側に向けて貫通して形成されている。穴部１１６ａ、１１６ｂ、１１６ｃの上下方向の形成位置は、錘部１１０の軸線（中心線）を横切る位置となる。
【００５６】
ここで、穴部１１６ｂは、錘部１１０の軸線方向の略中央位置に設けられ、穴部１１６ａは、穴部１１６ｂよりも左側面側で穴部１１２の近傍に設けられ、穴部１１６ｃは、穴部１１６ｂよりも右側面側で穴部１１４の近傍に設けられている。
【００５７】
なお、上記の説明では、錘部１１０は、略円柱状であるとしたが、円柱状でなくても柱状であればよく、結果として、略柱状であればよい。
【００５８】
また、線材部１２０は、金属等の弾性を有する線条部材により形成され、全体に略Ｕ字状を呈し、本体部１２２と、屈曲部（第１屈曲部）１２４と、屈曲部（第２屈曲部）１２６とを有している。なお、線材部２０の横断面形状は略円形を呈する。
【００５９】
線材部１２０は実施例１の線材部２０と略同様の構成であるが、屈曲部１２６が穴部１１４ａに嵌合するように内側に屈曲している点が異なる。
【００６０】
屈曲部１２４は、本体部１２２の一方の端部（左側面側の端部）から連設され、本体部１２２の一方の端部から右側面側に略直角に屈曲して形成されている。この屈曲部１２４の長さは、穴部１１２の長さと略同一に形成されている。この屈曲部１２４は、穴部１２に固着されている。つまり、屈曲部１２４と穴部１１２間を接着剤と固着するか、又は、屈曲部１２４を穴部１１２に嵌合させることにより、穴部１２に固着されている。
【００６１】
また、屈曲部１２６の長さＳ１２は、穴部１１４ａの軸線方向の長さＳ１１と略同一又は長さＳ１１よりも短く形成され、屈曲部１２６を穴部１１４ａに嵌合した際に本体部１２０の内側の側面が溝部１１４ｂの側面に接するように構成されている。
【００６２】
根掛かり外し１０５において、屈曲部１２６の穴部１１４への係止を解除した状態では、図１２に示す状態となり、屈曲部１２４と屈曲部１２６間の距離は、錘部１１０の軸線方向の長さよりも短くなる。屈曲部１２６の穴部１１４への係止を解除した状態から屈曲部１２６を穴部１１４に係止した状態にするには、線材部１２０の本体部１２２の両側の間隔を広げて、屈曲部１２４と屈曲部１２６間の距離を長くし、屈曲部１２６の先端を穴部１４の穴部１１４ａの開口部に位置させる。すなわち、図１３に示す状態にする。その後、本体部２２の両側の間隔を広げるのを解除することにより、屈曲部１２６がもとの状態に復帰しようとして、屈曲部１２６が穴部１１４ａに係止した状態となる。屈曲部１２６が穴部１１４ａに係止した状態では、図１０、図１１に示す状態となる。なお、屈曲部１２６を穴部１１４に係止した状態とは、屈曲部１２６を穴部１１４ａに係止した状態と同義である。屈曲部１２６が穴部１１４ａに係止した状態では、根掛かり外し１０５は、全体に略ループ状を呈しているといえる。
【００６３】
また、屈曲部１２６が穴部１１４に係止した状態から係止を解除した状態にするには、上記と同様に、線材部１２０の本体部１２２の両側の間隔を広げて、屈曲部１２４と屈曲部１２６間の距離を長くした後に、屈曲部１２６を穴部１１４ａから引き出して、屈曲部１２６の先端を穴部１１４ａの位置からずらした状態で、本体部１２２の両側の間隔を広げるのを解除することにより、屈曲部１２６がもとの状態に復帰して、係止が解除した状態となる。
【００６４】
上記構成の根掛かり外し１０５の使用状態は、実施例１と同様であるので詳しい説明を省略する。
【００６５】
上記構成の根掛かり外し１０５においては、線材部１２０の一方の屈曲部１２６が錘部１１０に対して着脱自在で開閉するので、釣糸に装着する場合に、釣り竿の基端から挿通することなく、釣り竿の途中位置から根掛かり外し１０５を装着することができるので、釣糸への装着を容易とすることができる。
【００６６】
また、屈曲部２６が穴部１４に係止するので、釣糸が挿通した状態の根掛かり外し５が釣糸から外れるおそれがない。特に、屈曲部１２６が係止する穴部が１１４が、穴部１１４ａと溝部１１４ｂとから構成され、屈曲部１２６を穴部１１４ａに嵌合した際に本体部１２０の内側の側面が溝部１１４ｂの側面に接するように構成されているので、釣糸が線材部１２０の屈曲部１２６の端部側と錘部１１０の境界位置（すなわち、溝部１１４ｂの上側位置）に位置しても、屈曲部１２６の係止が外れて根掛かり外し１０５が釣糸から脱落してしまうことがない。つまり、仮に、穴部１１４が穴部１１２のような構成の場合には、釣糸が線材部１２０の屈曲部１２６の端部側と錘部１１０の境界位置に入り込んでしまうと、錘部１１０と屈曲部１２６の基端部分との間に釣糸が介在して、錘部１１０と屈曲部１２６の基端部分の隙間を広げてしまい、屈曲部１２６が穴部から脱落するおそれがあるが、本実施例の場合には、そのようなおそれがない。
【符号の説明】
【００６７】
５、１０５  根掛かり外し
１０、１１０  錘部
１２、１４、１４ｂ、１６ａ、１６ｂ、１６ｃ、１１２、１１４、１１４ａ  穴部
１４ａ、１１４ｂ  溝部
２０、１２０  線材部
２２、１２２  本体部
２４、２６、１２４、１２６  屈曲部
【図１】
0003159173.tif 000003
【図２】
0003159173.tif 000004
【図３】
0003159173.tif 000005
【図４】
0003159173.tif 000006
【図５】
0003159173.tif 000007
【図６】
0003159173.tif 000008
【図７】
0003159173.tif 000009
【図８】
0003159173.tif 000010
【図９】
0003159173.tif 000011
【図１０】
0003159173.tif 000012
【図１１】
0003159173.tif 000013
【図１２】
0003159173.tif 000014
【図１３】
0003159173.tif 000015
【図１４】
0003159173.tif 000016
【手続補正書】
【提出日】平成22年2月26日(2010.2.26)
【手続補正１】
【補正対象書類名】実用新案登録請求の範囲
【補正対象項目名】請求項９
【補正方法】変更
【補正の内容】
【請求項９】
第３穴部が、錘部の軸線方向における中心位置からずれて形成されていることを特徴とする請求項２又は３又は４又は５又は６又は７又は８に記載の釣り用具。
【手続補正２】
【補正対象書類名】明細書
【補正対象項目名】００２１
【補正方法】変更
【補正の内容】
【００２１】
また、第９には、前記第２から第８までのいずれかの構成において、第３穴部が、錘部の軸線方向における中心位置からずれて形成されていることを特徴とする。よって、第３穴部に引き糸を固定して使用した場合に、根掛かり外しが不用意に回転するのを防止することができる。